(57)【要約】【課題】酸素吸入患者が、いつでもどこでも容易に酸素ボンベを入手することが可能であり、しかも広範囲に亘っての酸素ボンベの管理が可能なボンベ情報管理システムを提供することを課題とする。【解決手段】ボンベ情報サーバー１と、インターネットに接続され、前記ボンベ情報サーバー１に携帯用酸素ボンベの貸出・返却データを送信する貸出・返却データ送信手段を具備するボンベステーション用端末４と、インターネットに接続され、前記ボンベ情報サーバーから送信される前記携帯用の酸素ボンベの配達・回収を指示する指示データを受信する指示データ受信手段、及び、前記指示データ受信手段で受信した前記指示データに基づいて配達・回収した結果の処理データを前記ボンベ情報サーバーに送信する処理データ送信手段を具備するガス供給ステーション用端末５とを含む。【選択図】　　　　図１
2004005087.tif 000002
【特許請求の範囲】
【請求項１】
インターネットに接続される複数のボンベステーションのボンベステーション用端末それぞれから発信される携帯用酸素ボンベの貸出・返却データを、インターネットを介して受信する貸出・返却データ受信手段と、前記貸出・返却データ受信手段で受信した複数の前記貸出・返却データに基づいて、前記ボンベステーションについての貸出・返却状況データを作成する貸出・返却状況データ作成手段と、前記貸出・返却状況データ作成手段で作成した前記貸出・返却状況のデータを格納する貸出・返却状況データ格納手段と、前記貸出・返却状況データ作成手段で作成した前記貸出・返却状況データに基づいて、携帯用酸素ボンベの配達・回収を複数のガス供給ステーションへ指示する指示データを、インターネットに接続される複数のガス供給ステーション用端末へ向けて送信する指示データ送信手段と、前記指示データ送信手段で送信した前記指示データに基づいて配達・回収された結果の処理データを前記ガス供給ステーション用端末から受信する処理データ受信手段とを備えることを特徴とするボンベ情報サーバー。
【請求項２】
インターネットに接続される複数のボンベステーションのボンベステーション用端末それぞれから発信される携帯用酸素ボンベの貸出・返却データを、インターネットを介して受信する貸出・返却データ受信手段と、前記貸出・返却データ受信手段で受信した複数の前記貸出・返却データに基づいて、前記ボンベステーションについての貸出・返却状況データを作成する貸出・返却状況データ作成手段と、前記貸出・返却状況データ作成手段で作成した前記貸出・返却状況のデータを格納する貸出・返却状況データ格納手段と、前記貸出・返却状況データ作成手段で作成した前記貸出・返却状況データに基づいて、前記ボンベステーションの場所及び在庫の情報を複数の患者へ通知する通知データを、インターネットに接続される複数の患者用端末へ向けて送信する通知データ送信手段と、前記通知データ送信手段で送信した前記通知データに基づいて決められた患者のボンベ予約情報を前記患者用端末から受信する予約情報受信手段とを備えることを特徴とするボンベ情報サーバー。
【請求項３】
インターネットに接続される複数の病院の病院用端末それぞれから発信される院内用の酸素ボンベデータを、インターネットを介して受信する院内用ボンベデータ受信手段と、前記院内用ボンベデータ受信手段で受信した複数の前記院内用ボンベデータに基づいて、前記病院についての院内用ボンベ状況データを作成する院内用ボンベ状況データ作成手段と、前記院内用ボンベ状況データ作成手段で作成した前記院内用ボンベ状況のデータを格納する院内用ボンベ状況データ格納手段と、前記院内用ボンベ状況データ作成手段で作成した前記院内用ボンベ状況データに基づいて、院内用ボンベの配達・回収を複数のガス供給ステーションへ指示する指示データを、インターネットに接続される複数のガス供給ステーション用端末へ向けて送信する指示データ送信手段と、前記指示データ送信手段で送信した前記指示データに基づいて配達・回収された結果の処理データを前記ガス供給ステーション用端末から受信する処理データ受信手段とを備えることを備えることを特徴とするボンベ情報サーバー。
【請求項４】
請求項１に記載のボンベ情報サーバーと、インターネットに接続され、前記ボンベ情報サーバーに携帯用酸素ボンベの貸出・返却データを送信する貸出・返却データ送信手段を具備するボンベステーション用端末と、インターネットに接続され、前記ボンベ情報サーバーから送信される前記携帯用の酸素ボンベの配達・回収を指示する指示データを受信する指示データ受信手段、及び、前記指示データ受信手段で受信した前記指示データに基づいて配達・回収した結果の処理データを前記ボンベ情報サーバーに送信する処理データ送信手段を具備するガス供給ステーション用端末とを含むことを特徴とするボンベ情報管理システム。
【請求項５】
請求項２に記載のボンベ情報サーバーと、インターネットに接続され、前記ボンベ情報サーバーに携帯用酸素ボンベの貸出・返却データを送信する貸出・返却データ送信手段を具備するボンベステーションのボンベステーション用端末と、インターネットに接続され、前記ボンベ情報サーバーから送信される前記ボンベステーションの場所及び在庫の情報を通知する通知データを受信する通知データ受信手段、及び、前記通知データ受信手段で受信した前記通知データに基づいて決めた予約情報を前記ボンベ情報サーバーに送信する予約情報送信手段を具備する患者用端末とを含むことを特徴とするボンベ情報管理システム。
【請求項６】
請求項３に記載のボンベ情報サーバーと、インターネットに接続され、前記ボンベ情報サーバーに院内用の酸素ボンベデータを送信する院内用ボンベデータ送信手段を具備する病院用端末と、インターネットに接続され、前記ボンベ情報サーバーから送信される前記院内用の酸素ボンベの配達・回収を指示する指示データを受信する指示データ受信手段、及び、前記指示データ受信手段で受信した前記指示データに基づいて配達・回収した結果の処理データを前記ボンベ情報サーバーに送信する処理データ送信手段を具備するガス供給ステーション用端末とを含むことを特徴とするボンベ情報管理システム。
【請求項７】
インターネットに接続される複数のボンベステーションのボンベステーション用端末それぞれから発信される携帯用酸素ボンベの貸出・返却データを、インターネットを介して受信する貸出・返却データ受信機能と、前記貸出・返却データ受信機能で受信した複数の前記貸出・返却データに基づいて、前記ボンベステーションについての貸出・返却状況データを作成する貸出・返却状況データ作成機能と、前記貸出・返却状況データ作成機能で作成した前記貸出・返却状況のデータを格納する貸出・返却状況データ格納機能と、前記貸出・返却状況データ作成機能で作成した前記貸出・返却状況データに基づいて、携帯用酸素ボンベの配達・回収を複数のガス供給ステーションへ指示する指示データを、インターネットに接続される複数のガス供給ステーション用端末へ向けて送信する指示データ送信機能と、前記指示データ送信機能で送信した前記指示データに基づいて配達・回収された結果の処理データを前記ガス供給ステーション用端末から受信する処理データ受信機能とを実現するためのコンピュータ読み取り可能なボンベ情報管理プログラムが格納されたプログラム製品。
【請求項８】
インターネットに接続される複数のボンベステーションのボンベステーション用端末それぞれから発信される携帯用酸素ボンベの貸出・返却データを、インターネットを介して受信する貸出・返却データ受信機能と、前記貸出・返却データ受信機能で受信した複数の前記貸出・返却データに基づいて、前記ボンベステーションについての貸出・返却状況データを作成する貸出・返却状況データ作成機能と、前記貸出・返却状況データ作成機能で作成した前記貸出・返却状況のデータを格納する貸出・返却状況データ格納機能と、前記貸出・返却状況データ作成機能で作成した前記貸出・返却状況データに基づいて、前記ボンベステーションの場所及び在庫の情報を複数の患者へ通知する通知データを、インターネットに接続される複数の患者用端末へ向けて送信する通知データ送信機能と、前記通知データ送信機能で送信した前記通知データに基づいて決められた患者のボンベ予約情報を前記患者用端末から受信する予約情報受信機能とを実現するためのコンピュータ読み取り可能なボンベ情報管理プログラムが格納されたプログラム製品。
【請求項９】
インターネットに接続される複数の病院の病院用端末それぞれから発信される院内用の酸素ボンベデータを、インターネットを介して受信する院内用ボンベデータ受信機能と、前記院内用ボンベデータ受信機能で受信した複数の前記院内用ボンベデータに基づいて、前記病院についての院内用ボンベ状況データを作成する院内用ボンベ状況データ作成機能と、前記院内用ボンベ状況データ作成機能で作成した前記院内用ボンベ状況のデータを格納する院内用ボンベ状況データ格納機能と、前記院内用ボンベ状況データ作成機能で作成した前記院内用ボンベ状況データに基づいて、院内用ボンベの配達・回収を複数のガス供給ステーションへ指示する指示データを、インターネットに接続される複数のガス供給ステーション用端末へ向けて送信する指示データ送信機能と、前記指示データ送信機能で送信した前記指示データに基づいて配達・回収された結果の処理データを前記ガス供給ステーション用端末から受信する処理データ受信機能とを実現するためのコンピュータ読み取り可能なボンベ情報管理プログラムが格納されたプログラム製品。
【請求項１０】
インターネットに接続される複数のボンベステーションのボンベステーション用端末それぞれから発信される携帯用酸素ボンベの貸出・返却データを、インターネットを介して受信する貸出・返却データ受信工程と、前記貸出・返却データ受信工程で受信した複数の前記貸出・返却データに基づいて、前記ボンベステーションについての貸出・返却状況データを作成する貸出・返却状況データ作成工程と、前記貸出・返却状況データ作成工程で作成した前記貸出・返却状況のデータを格納する貸出・返却状況データ格納工程と、前記貸出・返却状況データ作成工程で作成した前記貸出・返却状況データに基づいて、携帯用酸素ボンベの配達・回収を複数のガス供給ステーションへ指示する指示データを、インターネットに接続される複数のガス供給ステーション用端末へ向けて送信する指示データ送信工程と、前記指示データ送信工程で送信した前記指示データに基づいて配達・回収された結果の処理データを前記ガス供給ステーション用端末から受信する処理データ受信工程とを備えることを特徴とするボンベ情報管理方法。
【請求項１１】
インターネットに接続される複数のボンベステーションのボンベステーション用端末それぞれから発信される携帯用酸素ボンベの貸出・返却データを、インターネットを介して受信する貸出・返却データ受信工程と、前記貸出・返却データ受信工程で受信した複数の前記貸出・返却データに基づいて、前記ボンベステーションについての貸出・返却状況データを作成する貸出・返却状況データ作成工程と、前記貸出・返却状況データ作成工程で作成した前記貸出・返却状況のデータを格納する貸出・返却状況データ格納工程と、前記貸出・返却状況データ作成工程で作成した前記貸出・返却状況データに基づいて、前記ボンベステーションの場所及び在庫の情報を複数の患者へ通知する通知データを、インターネットに接続される複数の患者用端末へ向けて送信する通知データ送信工程と、前記通知データ送信工程で送信した前記通知データに基づいて決められた患者のボンベ予約情報を前記患者用端末から受信する予約情報受信工程とを備えることを特徴とするボンベ情報管理方法。
【請求項１２】
インターネットに接続される複数の病院の病院用端末それぞれから発信される院内用の酸素ボンベデータを、インターネットを介して受信する院内用ボンベデータ受信工程と、前記院内用ボンベデータ受信工程で受信した複数の前記院内用ボンベデータに基づいて、前記病院についての院内用ボンベ状況データを作成する院内用ボンベ状況データ作成工程と、前記院内用ボンベ状況データ作成工程で作成した前記院内用ボンベ状況のデータを格納する院内用ボンベ状況データ格納工程と、前記院内用ボンベ状況データ作成工程で作成した前記院内用ボンベ状況データに基づいて、院内用ボンベの配達・回収を複数のガス供給ステーションへ指示する指示データを、インターネットに接続される複数のガス供給ステーション用端末へ向けて送信する指示データ送信工程と、前記指示データ送信工程で送信した前記指示データに基づいて配達・回収された結果の処理データを前記ガス供給ステーション用端末から受信する処理データ受信工程とを備えることを特徴とするボンベ情報管理方法。
【発明の詳細な説明】
【０００１】
【発明が属する技術分野】
本発明は、複数に分散して行なう酸素ボンベの情報の管理に関し、より詳細には、酸素ボンベの使用状況等の管理が可能で、酸素ボンベのユーザーにも種々の便宜を図ることができるボンベ情報サーバー、ボンベ情報管理システム、ボンベ情報管理プログラムが格納されたプログラム製品、及びボンベ情報管理方法に関するものである。
【０００２】
【従来の技術】
呼吸器障害等の在宅患者への酸素ボンベの供給は、病院の医師の指示に基づき、患者を担当するガスディーラー、機器ディーラー又はガスメーカーが、地域・時間を超えて対応しており、これに要するコストは多大なものとなる。
【０００３】
この酸素ボンベ供給体制においては、担当在宅患者への医療サービスと病院へのガス供給が一対をなしており、まさに在宅患者への対応は、サービスの範疇で実施されてきている。
【０００４】
しかし、平成１４年４月から医療用酸素の価格が従来のフリー価格から上限価格設定に決められ、実質的に在宅酸素療法の診療報酬もダウンする等、医療ガス業界では、在宅患者への対応コストが重くなり、従来通りのサービスが継続できなくなってきているのが現状である。
【０００５】
従って、各業者にとっては、その対応策として、どの部分の管理コストを低減すべきかの検討が急務となってきている。また、病院内で使用されている酸素ボンベは、その保管状況が、院内を全て廻らないと把握できない状況にある。
【０００６】
【発明が解決しようとする課題】
本発明は、上述したような現に起こりつつある問題に鑑みてなされたもので、酸素吸入患者が、いつでもどこでも容易に酸素ボンベを入手することを可能にし、又、広範囲に亘って酸素ボンベを管理することを可能にするボンベ情報サーバー、ボンベ情報管理システム、ボンベ情報管理プログラムが格納されたプログラム製品、及びボンベ情報管理方法を提供することを課題とする。
【０００７】
【課題を解決するための手段】
上記課題を解決するための本発明に係る第１の構成のボンベ情報サーバーは、インターネットに接続される複数のボンベステーションのボンベステーション用端末それぞれから発信される携帯用酸素ボンベの貸出・返却データを、インターネットを介して受信する貸出・返却データ受信手段と、前記貸出・返却データ受信手段で受信した複数の前記貸出・返却データに基づいて、前記ボンベステーションについての貸出・返却状況データを作成する貸出・返却状況データ作成手段と、前記貸出・返却状況データ作成手段で作成した前記貸出・返却状況のデータを格納する貸出・返却状況データ格納手段と、前記貸出・返却状況データ作成手段で作成した前記貸出・返却状況データに基づいて、携帯用酸素ボンベの配達・回収を複数のガス供給ステーションへ指示する指示データを、インターネットに接続される複数のガス供給ステーション用端末へ向けて送信する指示データ送信手段と、前記指示データ送信手段で送信した前記指示データに基づいて配達・回収された結果の処理データを前記ガス供給ステーション用端末から受信する処理データ受信手段とを備えることを特徴とするものである。
【０００８】
上記課題を解決するための本発明に係る第２の構成のボンベ情報サーバーは、インターネットに接続される複数のボンベステーションのボンベステーション用端末それぞれから発信される携帯用酸素ボンベの貸出・返却データを、インターネットを介して受信する貸出・返却データ受信手段と、前記貸出・返却データ受信手段で受信した複数の前記貸出・返却データに基づいて、前記ボンベステーションについての貸出・返却状況データを作成する貸出・返却状況データ作成手段と、前記貸出・返却状況データ作成手段で作成した前記貸出・返却状況のデータを格納する貸出・返却状況データ格納手段と、前記貸出・返却状況データ作成手段で作成した前記貸出・返却状況データに基づいて、前記ボンベステーションの場所及び在庫の情報を複数の患者へ通知する通知データを、インターネットに接続される複数の患者用端末へ向けて送信する通知データ送信手段と、前記通知データ送信手段で送信した前記通知データに基づいて決められた患者のボンベ予約情報を前記患者用端末から受信する予約情報受信手段とを備えることを特徴とするものである。
【０００９】
上記課題を解決するための本発明に係る第３の構成のボンベ情報サーバーは、インターネットに接続される複数の病院の病院用端末それぞれから発信される院内用の酸素ボンベデータを、インターネットを介して受信する院内用ボンベデータ受信手段と、前記院内用ボンベデータ受信手段で受信した複数の前記院内用ボンベデータに基づいて、前記病院についての院内用ボンベ状況データを作成する院内用ボンベ状況データ作成手段と、前記院内用ボンベ状況データ作成手段で作成した前記院内用ボンベ状況のデータを格納する院内用ボンベ状況データ格納手段と、前記院内用ボンベ状況データ作成手段で作成した前記院内用ボンベ状況データに基づいて、院内用ボンベの配達・回収を複数のガス供給ステーションへ指示する指示データを、インターネットに接続される複数のガス供給ステーション用端末へ向けて送信する指示データ送信手段と、前記指示データ送信手段で送信した前記指示データに基づいて配達・回収された結果の処理データを前記ガス供給ステーション用端末から受信する処理データ受信手段とを備えることを備えることを特徴とするものである。
【００１０】
上記課題を解決するための本発明に係る第１の構成のボンベ情報管理システムは、第１の構成のボンベ情報サーバーと、インターネットに接続され、前記ボンベ情報サーバーに携帯用酸素ボンベの貸出・返却データを送信する貸出・返却データ送信手段を具備するボンベステーション用端末と、インターネットに接続され、前記ボンベ情報サーバーから送信される前記携帯用の酸素ボンベの配達・回収を指示する指示データを受信する指示データ受信手段、及び、前記指示データ受信手段で受信した前記指示データに基づいて配達・回収した結果の処理データを前記ボンベ情報サーバーに送信する処理データ送信手段を具備するガス供給ステーション用端末とを含むことを特徴とするものである。
【００１１】
上記課題を解決するための本発明に係る第２の構成のボンベ情報管理システムは、第２の構成のボンベ情報サーバーと、インターネットに接続され、前記ボンベ情報サーバーに携帯用酸素ボンベの貸出・返却データを送信する貸出・返却データ送信手段を具備するボンベステーションのボンベステーション用端末と、インターネットに接続され、前記ボンベ情報サーバーから送信される前記ボンベステーションの場所及び在庫の情報を通知する通知データを受信する通知データ受信手段、及び、前記通知データ受信手段で受信した前記通知データに基づいて決めた予約情報を前記ボンベ情報サーバーに送信する予約情報送信手段を具備する患者用端末とを含むことを特徴とするものである。
【００１２】
上記課題を解決するための本発明に係る第３の構成のボンベ情報管理システムは、第３の構成のボンベ情報サーバーと、インターネットに接続され、前記ボンベ情報サーバーに院内用の酸素ボンベデータを送信する院内用ボンベデータ送信手段を具備する病院用端末と、インターネットに接続され、前記ボンベ情報サーバーから送信される前記院内用の酸素ボンベの配達・回収を指示する指示データを受信する指示データ受信手段、及び、前記指示データ受信手段で受信した前記指示データに基づいて配達・回収した結果の処理データを前記ボンベ情報サーバーに送信する処理データ送信手段を具備するガス供給ステーション用端末とを含むことを特徴とするものである。
【０００１３】
上記課題を解決するための本発明に係る第１の構成のコンピュータ読み取り可能なボンベ情報管理プログラムが格納されたプログラム製品は、インターネットに接続される複数のボンベステーションのボンベステーション用端末それぞれから発信される携帯用酸素ボンベの貸出・返却データを、インターネットを介して受信する貸出・返却データ受信機能と、前記貸出・返却データ受信機能で受信した複数の前記貸出・返却データに基づいて、前記ボンベステーションについての貸出・返却状況データを作成する貸出・返却状況データ作成機能と、前記貸出・返却状況データ作成機能で作成した前記貸出・返却状況のデータを格納する貸出・返却状況データ格納機能と、前記貸出・返却状況データ作成機能で作成した前記貸出・返却状況データに基づいて、携帯用酸素ボンベの配達・回収を複数のガス供給ステーションへ指示する指示データを、インターネットに接続される複数のガス供給ステーション用端末へ向けて送信する指示データ送信機能と、前記指示データ送信機能で送信した前記指示データに基づいて配達・回収された結果の処理データを前記ガス供給ステーション用端末から受信する処理データ受信機能とを実現するためのものである。
【００１４】
上記課題を解決するための本発明に係る第２の構成のコンピュータ読み取り可能なボンベ情報管理プログラムが格納されたプログラム製品は、インターネットに接続される複数のボンベステーションのボンベステーション用端末それぞれから発信される携帯用酸素ボンベの貸出・返却データを、インターネットを介して受信する貸出・返却データ受信機能と、前記貸出・返却データ受信機能で受信した複数の前記貸出・返却データに基づいて、前記ボンベステーションについての貸出・返却状況データを作成する貸出・返却状況データ作成機能と、前記貸出・返却状況データ作成機能で作成した前記貸出・返却状況のデータを格納する貸出・返却状況データ格納機能と、前記貸出・返却状況データ作成機能で作成した前記貸出・返却状況データに基づいて、前記ボンベステーションの場所及び在庫の情報を複数の患者へ通知する通知データを、インターネットに接続される複数の患者用端末へ向けて送信する通知データ送信機能と、前記通知データ送信機能で送信した前記通知データに基づいて決められた患者のボンベ予約情報を前記患者用端末から受信する予約情報受信機能とを実現するためのものである。
【００１５】
上記課題を解決するための本発明に係る第３の構成のコンピュータ読み取り可能なボンベ情報管理プログラムが格納されたプログラム製品は、インターネットに接続される複数の病院の病院用端末それぞれから発信される院内用の酸素ボンベデータを、インターネットを介して受信する院内用ボンベデータ受信機能と、前記院内用ボンベデータ受信機能で受信した複数の前記院内用ボンベデータに基づいて、前記病院についての院内用ボンベ状況データを作成する院内用ボンベ状況データ作成機能と、前記院内用ボンベ状況データ作成機能で作成した前記院内用ボンベ状況のデータを格納する院内用ボンベ状況データ格納機能と、前記院内用ボンベ状況データ作成機能で作成した前記院内用ボンベ状況データに基づいて、院内用ボンベの配達・回収を複数のガス供給ステーションへ指示する指示データを、インターネットに接続される複数のガス供給ステーション用端末へ向けて送信する指示データ送信機能と、前記指示データ送信機能で送信した前記指示データに基づいて配達・回収された結果の処理データを前記ガス供給ステーション用端末から受信する処理データ受信機能とを実現するためのものである。
【００１６】
上記課題を解決するための本発明に係る第１の構成のボンベ情報管理方法は、インターネットに接続される複数のボンベステーションのボンベステーション用端末それぞれから発信される携帯用酸素ボンベの貸出・返却データを、インターネットを介して受信する貸出・返却データ受信工程と、前記貸出・返却データ受信工程で受信した複数の前記貸出・返却データに基づいて、前記ボンベステーションについての貸出・返却状況データを作成する貸出・返却状況データ作成工程と、前記貸出・返却状況データ作成工程で作成した前記貸出・返却状況のデータを格納する貸出・返却状況データ格納工程と、前記貸出・返却状況データ作成工程で作成した前記貸出・返却状況データに基づいて、携帯用酸素ボンベの配達・回収を複数のガス供給ステーションへ指示する指示データを、インターネットに接続される複数のガス供給ステーション用端末へ向けて送信する指示データ送信工程と、前記指示データ送信工程で送信した前記指示データに基づいて配達・回収された結果の処理データを前記ガス供給ステーション用端末から受信する処理データ受信工程とを備えることを特徴とするものである。
【００１７】
上記課題を解決するための本発明に係る第２の構成のボンベ情報管理方法は、インターネットに接続される複数のボンベステーションのボンベステーション用端末それぞれから発信される携帯用酸素ボンベの貸出・返却データを、インターネットを介して受信する貸出・返却データ受信工程と、前記貸出・返却データ受信工程で受信した複数の前記貸出・返却データに基づいて、前記ボンベステーションについての貸出・返却状況データを作成する貸出・返却状況データ作成工程と、前記貸出・返却状況データ作成工程で作成した前記貸出・返却状況のデータを格納する貸出・返却状況データ格納工程と、前記貸出・返却状況データ作成工程で作成した前記貸出・返却状況データに基づいて、前記ボンベステーションの場所及び在庫の情報を複数の患者へ通知する通知データを、インターネットに接続される複数の患者用端末へ向けて送信する通知データ送信工程と、前記通知データ送信工程で送信した前記通知データに基づいて決められた患者のボンベ予約情報を前記患者用端末から受信する予約情報受信工程とを備えることを特徴とするものである。
【００１８】
上記課題を解決するための本発明に係る第３の構成のボンベ情報管理方法は、インターネットに接続される複数の病院の病院用端末それぞれから発信される院内用の酸素ボンベデータを、インターネットを介して受信する院内用ボンベデータ受信工程と、前記院内用ボンベデータ受信工程で受信した複数の前記院内用ボンベデータに基づいて、前記病院についての院内用ボンベ状況データを作成する院内用ボンベ状況データ作成工程と、前記院内用ボンベ状況データ作成工程で作成した前記院内用ボンベ状況のデータを格納する院内用ボンベ状況データ格納工程と、前記院内用ボンベ状況データ作成工程で作成した前記院内用ボンベ状況データに基づいて、院内用ボンベの配達・回収を複数のガス供給ステーションへ指示する指示データを、インターネットに接続される複数のガス供給ステーション用端末へ向けて送信する指示データ送信工程と、前記指示データ送信工程で送信した前記指示データに基づいて配達・回収された結果の処理データを前記ガス供給ステーション用端末から受信する処理データ受信工程とを備えることを特徴とするものである。
【００１９】
【発明の実施の形態】
以下、本発明の実施の形態を添付図面に依拠して説明する。なお、本発明に係るボンベ情報管理システムは、在宅の酸素吸入患者が使用する携帯用酸素ボンベについての携帯用酸素ボンベ情報管理システムであり、また、病院内で入院患者等を対象に設置される院内用酸素ボンベについての院内用ボンベデータ管理システムでもある。
【００２０】
図１は、本発明に係るボンベ情報管理システムの概略構成を表した図面である。この図１に示されるように、本発明に係るボンベ情報管理システムは、本発明に係るボンベ情報サーバーの一実施形態としてのＷＷＷサーバー１及びデータベース・サーバー２と、ＷＷＷサーバー１にそれぞれインターネット３を介して接続され、データを送受信する複数のボンベステーション用端末４と、複数のガス供給ステーション用端末５と、複数の患者用端末６と、複数の病院用端末７を含んでいる。ＷＷＷサーバー１は、ＷＷＷサーバープログラム及びボンベ情報管理プログラムを実行し、インターネット３を介してガス供給ステーション用端末５へ、酸素ボンベの配達・回収を指示する指示データの出力を行ない、インターネット３を介して患者用端末６へ、ボンベステーションの場所及び在庫の情報を通知する通知データの出力を行なう。データベース・サーバー２は、ＷＷＷサーバー１から出力される指示データ及び通知データの基になる各種データを保存している。そして、ＷＷＷサーバー１に含まれるＣＧＩプログラムやＡＳＰプログラムとデータベース・サーバー２に含まれるデータベース・サーバープログラムに従って、データの格納、更新、検索、ＷＷＷサーバー１への出力が行なわれるようになっている。
【００２１】
本発明においては、ＷＷＷサーバー１は、インターネット３に接続される複数のボンベステーション用端末４それぞれから発信される携帯用酸素ボンベの貸出・返却データを、インターネット３を介して受信し、受信した複数の貸出・返却データに基づいて、ボンベステーションについての貸出・返却状況データを作成し、このボンベステーションの貸出・返却状況データをデータベース・サーバー２に格納し、データベース・サーバー２に格納される貸出・返却状況データに基づいて、携帯用酸素ボンベの配達・回収を複数のガス供給ステーションへ指示する指示データを、複数のガス供給ステーション用端末５へ向けて送信するボンベ情報サーバーとして機能する。
【００２２】
本発明において、ＷＷＷサーバー１が複数のボンベステーション用端末４から受信する携帯用酸素ボンベの貸出・返却データは各ボンベステーションで貸出・返却された携帯用酸素ボンベの貸出・返却データである。
【００２３】
また、ＷＷＷサーバー１は、受信した貸出・返却データに基づいてデータベース・サーバー２に格納される貸出・返却状況データを更新する。
【００２４】
そして、データベース・サーバー２に格納される貸出・返却状況データに基づいて指示データを作成し、複数のガス供給ステーション用端末５へ向けて送信する。
【００２５】
また、ＷＷＷサーバー１は、インターネット３に接続される複数のボンベステーション用端末４それぞれから発信される携帯用酸素ボンベの貸出・返却データを、インターネット３を介して受信し、受信した複数の貸出・返却データに基づいて、ボンベステーションについての貸出・返却状況データを作成し、このボンベステーションの貸出・返却状況データをデータベース・サーバー２に格納し、データベース・サーバー２に格納される貸出・返却状況データに基づいて、ボンベステーションの場所及び在庫の情報を患者へ通知する通知データを、複数の患者用端末６へ向けて送信するボンベ情報サーバーとしても機能する。
【００２６】
ボンベステーション及びガス供給ステーションは、例えば全国に複数設置される。そして、ガス供給ステーションは、複数のボンベステーションと病院に対して酸素ボンベを配送するものであり、ボンベステーションは、酸素ボンベの貸出・返却時に患者とのインターフェース装置として構成されるものである。また、患者用端末６は、通常、携帯電話やＰＤＡ等の携帯可能且つインターネットに接続可能な端末とする。
【００２７】
ボンベステーションには、ＩＣチップ用リーダーとＩＣカード用リーダーが設けられる。ＩＣチップ用リーダーは、入出力インターフェースを介してボンベステーション用端末４に接続され、ボンベステーション用端末４からの指令に応じ、製造時に各酸素ボンベに付けられるＩＣチップのメモリーデータを読み取る。また、ＩＣカード用リーダーは、入出力インターフェースを介してボンベステーション用端末４に接続され、各患者が帯有する患者用ＩＣカードを検出すると、自動的にそのメモリーデータを読み取る。
【００２８】
次に、酸素ボンベに付けられるＩＣチップにおいて、そのメモリーに記憶されるデータ内容について説明する。酸素ボンベのＩＣチップメモリーには、容器番号情報、容器容量情報、重量情報、耐圧年月日情報、充填圧情報、充填年月日情報、ガス供給ステーションコード、出荷先情報及び出荷年月日情報等の記憶領域が設けられている。
【００２９】
例えば、容器番号情報領域には、そのＩＣチップを付けた酸素ボンベの番号が記録され、耐圧年月日情報領域には、耐圧期限が年月日で記録され、出荷先情報領域には、出荷したボンベステーションの名称が記録され、出荷年月日情報領域には、出荷年月日が記録される。また、容器容量情報領域には、ボンベの容量が記録される。
【００３０】
また、患者用ＩＣカードのメモリーには、患者登録ＩＤ情報及び患者カルテ情報等の記録領域が設けられている。患者登録ＩＤ情報領域には、患者ＩＤコード、名前、生年月日、性別、血液型、職業、社会保険コード、住所及び電話番号等が記録される。患者カルテ情報記録領域には、受診病院コード、ドクター名、呼吸器系の病名及びそれ以外の受診中の病名、処方処置、酸素処方、薬処方等が記録される。なお、酸素ボンベと患者に関する各種情報は、ＷＷＷサーバー１のデータベース・サーバー２にもストアされる。
【００３１】
次に、上記構成において、本発明に係るボンベ情報管理システムの動作を説明する。登録患者が酸素ボンベを借り受ける場合、患者用ＩＣカードをボンベステーションのＩＣカード用リーダーにセットする。すると、ボンベステーション端末１が、ＩＣカード用リーダーとＩＣチップ用リーダーに対して貸出処理指令を出力する。
【００３２】
ＩＣカード用リーダーはその指令に応答して、患者用ＩＣカードに対象を絞った認証用コードを送信し、患者用ＩＣカードからの応答を待つ。患者用ＩＣカードは認証用コードを受信すると、それに対して応答信号を出力する。そして、その応答信号はＩＣカード用リーダーによって受信される。
【００３３】
ボンベステーション用端末４は、ＩＣカード用リーダーにセットされた患者用ＩＣカードからの応答信号を受信すると、受信した応答信号が患者用ＩＣカードからのものか否かを判断し、患者用ＩＣカードからのものであった場合、その患者用ＩＣカードと通信して患者用ＩＣカードから患者登録ＩＤデータ及び患者カルテデータを読み出す。
【００３４】
このようにして患者用ＩＣカードと通信を完了すると、ＩＣチップ用リーダーは、貸出処理用コマンドを出力して酸素ボンベのＩＣチップと通信し、貸し出す吸入酸素ボンベのボンベＩＤデータを読み出す。
【００３５】
即ち、ＩＣカード用リーダーは、ボンベＩＤデータについては、貸し出すボンベのボンベＩＤを読み出す。また、ＩＣカード用リーダーは、患者登録ＩＤデータについては、貸し出す患者の患者ＩＤ及びカルテデータを読み出す。
【００３６】
ボンベステーション用端末４は、このようにして得たボンベＩＤデータと患者登録ＩＤデータを、貸出ボンベデータと貸出患者データとしてＷＷＷサーバー１に送信し、ＷＷＷサーバー１は、その貸出ボンベデータと貸出患者データをＷＷＷサーバー１のデータベース・サーバー２に登録する。
【００３７】
データベース・サーバー２は、貸出ボンベデータと貸出患者データとをリンクさせて貸出データベースに格納する。そして、ボンベステーションは、酸素ボンベを患者用ＩＣカードと共に患者に取り出し可能な状態にする。
【００３８】
患者が借り受けた酸素ボンベを返却する場合、返却する酸素ボンベをボンベステーションの返却口にセットすると共に、患者用ＩＣカードをボンベステーションのＩＣカード用リーダーにセットする。すると、ボンベステーション端末１が、ＩＣカード用リーダーに対して返却処理指令を出力する。
【００３９】
ＩＣカード用リーダー及びＩＣチップ用リーダーは、その指令に応答して、患者用ＩＣカード、酸素ボンベのＩＣチップにそれぞれ対象を絞った認証用コードを送信し、患者用ＩＣカード、酸素ボンベのＩＣチップからの応答を待つ。そして、患者用ＩＣカードから患者登録ＩＤデータを読み出し、酸素ボンベのＩＣチップからボンベＩＤデータを読み出し、患者用ＩＣカードと酸素ボンベのＩＣチップから得たデータを、それぞれ返却患者データ、返却ボンベデータとしてＷＷＷサーバー１に送信する。
【００４０】
この後、ＷＷＷサーバー１のデータベース・サーバーは、返却を受けたボンベステーションに対応するボンベステーションＩＤと返却日とを貸出データベースに書き込み、且つ貸出データベースに書き込まれている貸出患者データを消去し、返却フラグをセットする。
【００４１】
そして、ＷＷＷサーバー１は、貸出データベースの返却された酸素ボンベ情報をガス供給ステーション用端末５に送信する。
【００４２】
このように本発明に係るボンベ情報管理システムでは、貸出時にデータベース・サーバー２の貸出データベースに、貸し出す患者の患者登録ＩＤデータを書き込むと共に、貸し出す酸素ボンベのボンベＩＤデータを書き込むので、その酸素ボンベを貸し出したボンベステーションでなくとも、その患者が借り受けた酸素ボンベであることを確認できる。このため、本発明に係るボンベ情報管理システムにおけるボンベステーションであれば、借り受けたボンベステーション以外のボンベステーションに酸素ボンベを返却しても差し支えなくなる。
【００４３】
また、ＩＣカード用リーダーにライター機能を付加すれば、ＩＣカードに、患者に貸し出す携帯用ボンベの情報を書き込むこともできるので、万一、貸し出した携帯用ボンベが原因で感染症等を起こすようなことがあっても、その携帯用ボンベの貸出履歴をＩＣカードから確認することで、迅速な対応をすることができるようになる。
【００４４】
なお、ＷＷＷサーバー１は、データベース・サーバー２で管理される在庫データ、貸出データ及び返却データに基づいて、酸素ボンベの分布データを作成し、また、ボンベステーションの位置情報及び在庫情報を一覧できるデータを作成して、患者の患者用端末に転送するようにすることができる。
【００４５】
更に、ＷＷＷサーバー１は、酸素ボンベの在庫データ、貸出データ及び返却データに基づいて、在庫が不足しているボンベステーションを判断して、そのボンベステーションへ酸素ボンベを配達して空の酸素ボンベを回収する旨の指示データを作成し、各ガス供給ステーション用端末５に転送するようにする。
【００４６】
また、病院内においては、院内用酸素ボンベのＩＣチップからデータを読み出す動作を継続して行ない、院内用酸素ボンベの残量を検出し、残量の少なくなった院内用酸素ボンベを空ボンベとして扱い、病院用端末７からボンベ情報サーバーへ院内ボンベデータとして送信する。
【００４７】
このようにして情報センターのＷＷＷサーバー１は、病院用端末７、ガス供給ステーション用端末５、ボンベステーション用端末４、及び患者用端末６とインターネットを介してデータを送受信することによって本発明に係るボンベ情報管理システムを実現するものであるが、例えば、情報センターを、各都道府県単位又は市区町村単位等の地域毎に設置する地域情報センターとした場合には、各情報センターで取り扱う情報を一括管理するための中央情報センターを設置することで、地域の枠を超えた酸素ボンベの管理・供給を行なうことができる。
【００４８】
例えば、患者が北海道の自宅付近で借りた携帯用酸素ボンベを、沖縄へ旅行中に沖縄のボンベステーションへ返却したりすることもできるようになる。
【００４９】
【発明の効果】
以上説明したように、本発明に係るボンベ情報サーバー、ボンベ情報管理システム、ボンベ情報管理プログラムが格納されたプログラム製品、及びボンベ情報管理方法によれば、酸素吸入患者が、いつでもどこでも容易に酸素ボンベを入手することが可能となり、また病院内ボンベ管理が院内集中的に実施可能となり、更に酸素ボンベ供給の全国インターネットシステム構築が可能となる。
【図面の簡単な説明】
【図１】本発明に係るボンベ情報管理システムの概略構成を表した図面である。
【符号の説明】
１　ＷＷＷサーバー
２　データベース・サーバー
３　インターネット
４　ボンベステーション用端末
５　ガス供給ステーション用端末
６　患者用端末
７　病院用端末
【図１】
2004005087.tif 000003